(57)【要約】【課題】他の画像形成装置とネットワーク接続されている画像形成装置において、当該他の画像形成装置の使用状況（動作状態）を表示することで、当該使用状況をユーザに確認させることができる画像形成装置を提供すること。【解決手段】画像表示制御部（状態情報表示制御部）１１５は、指示操作部１０３ａが操作されると、動作状態情報記録部（他装置）１１２ｂに記録された、他の画像形成装置（１Ｘ〜１Ｚ）の動作状態情報を第１の表示パネル１０２ａ、第２の表示パネル１０２ｂの何れかに表示する。【選択図】図３
2010103832.tif 000002
【特許請求の範囲】
【請求項１】
他の画像形成装置とネットワーク接続される画像形成装置において、
表示部と、動作状態情報を記録する動作状態情報記録部と、
自装置の動作状態情報を、ネットワークを介して他の画像形成装置に送信する動作状態情報送信部と、
他の画像形成装置によってネットワークを介して送信された動作状態情報を受信する動作状態情報受信部と、
他の画像形成装置の動作状態情報の表示を指示する指示操作部とを備え、
前記指示操作部が操作されると、前記表示部に、前記動作状態情報記録部に記録された、他の画像形成装置の動作状態情報を表示することを特徴とする画像形成装置。
【請求項２】
複数の表示部を備え、前記表示部の１つに受信した他の画像形成装置の動作状態情報を表示することを特徴とする請求項１に記載の画像形成装置。
【請求項３】
前記他の画像形成装置の動作状態情報を表示する場合、複数の他の画像形成装置の動作状態情報を同時に表示することを特徴とする請求項１又は２に記載の画像形成装置。
【請求項４】
前記複数の他の画像形成装置の動作状態情報を同時に表示する場合、当該動作状態情報の表示順序は、実行中のジョブの数／予約されているジョブの数が少ない他の画像形成装置の順に表示することを特徴とする請求項３に記載の画像形成装置。
【請求項５】
自装置が待機状態の場合、他の画像形成装置の動作状態情報の表示処理を実行しないことを特徴とする請求項１〜４の何れかに記載の画像形成装置。
【発明の詳細な説明】
【技術分野】
【０００１】
本発明は、ネットワーク接続されている他の画像形成装置の動作状態情報を表示する画像形成装置に関する。
【背景技術】
【０００２】
現在では、複数の画像形成装置がネットワーク接続されて使用されている（特許文献１参照）。
【０００３】
また、複数の画像を同時表示する表示手段を備えた画像形成装置が提案されている。
前記画像形成装置の一例としては、複数の表示パネルを設け、当該複数の表示パネルに複数の画像をそれぞれ表示する手段を備えた画像形成装置がある。
【０００４】
前記画像形成装置の他の例としては、表示画面に対して第１の視野角方向及び第２の視野角方向に位置するユーザに対し夫々の画像を同時に表示するデュアルビュー表示機能を備えた画像形成装置がある（特許文献２参照）。
【０００５】
前記画像形成装置の表示手段を利用すれば、例えば、コンビニエンスストアに設置されている複合機(MFP：Multi Function Peripheral)において、操作情報を表示すると共に、広告情報などを表示することができる。
【特許文献１】特開２００５−２６７１２７号公報
【特許文献２】特開２００８−２１７５７６号公報
【発明の開示】
【発明が解決しようとする課題】
【０００６】
ここで、ユーザＸがある画像形成装置を使用してファックス送信用のスキャン処理又は大量コピーを実行し、終了まで長時間かかると想定する。また、他のユーザＹは早急にコピーを行わなければならないと想定する。
このような場合、ユーザＹは、実行中のコピー処理などが終了するまで待つことはできず、使用されていない他の画像形成装置のところに行ってコピーを行う。
【０００７】
しかし、ユーザＹは、他の画像形成装置の動作状態（使用状況）をその場で知ることができないので、空いている他の画像形成装置を探し回らなければならず、非常に手間がかかるという問題が生じる。
【０００８】
本発明は、かかる実情に鑑みてなされたものであり、他の画像形成装置とネットワーク接続されている画像形成装置において、当該他の画像形成装置の使用状況を表示することで、当該使用状況をユーザに確認させることができる画像形成装置を提供することを目的とする。
【課題を解決するための手段】
【０００９】
第１の技術手段は、他の画像形成装置とネットワーク接続される画像形成装置において、表示部と、動作状態情報を記録する動作状態情報記録部と、自装置の動作状態情報を、ネットワークを介して他の画像形成装置に送信する動作状態情報送信部と、他の画像形成装置によってネットワークを介して送信された動作状態情報を受信する動作状態情報受信部と、他の画像形成装置の動作状態情報の表示を指示する指示操作部とを備え、前記指示操作部が操作されると、前記表示部に、前記動作状態情報記録部に記録された、他の画像形成装置の動作状態情報を表示することを特徴とする画像形成装置である。
【００１０】
第２の技術手段は、第１の技術手段において、複数の表示部を備え、前記表示部の１つに受信した他の画像形成装置の動作状態情報を表示することを特徴とする。
【００１１】
第３の技術手段は、第１又は２の技術手段において、前記他の画像形成装置の動作状態情報を表示する場合、複数の他の画像形成装置の動作状態情報を同時に表示することを特徴とする。
【００１２】
第４の技術手段は、第３の技術手段において、前記複数の他の画像形成装置の動作状態情報を同時に表示する場合、当該動作状態情報の表示順序は、実行中のジョブの数／予約されているジョブの数が少ない他の画像形成装置の順に表示することを特徴とする。
【００１３】
第５の技術手段は、第１〜４の何れかの技術手段において、自装置が待機状態の場合、他の画像形成装置の動作状態情報の表示処理を実行しないことを特徴とする。
【発明の効果】
【００１４】
本発明により、他の画像形成装置の使用状況が画像形成装置の表示パネルに表示されるので、ユーザは、どの画像形成装置が使用できるかを容易に確認することができ、利便性が向上する。
【発明を実施するための最良の形態】
【００１５】
図１は、本発明の概要を説明するための図である。
１は、本発明に係る画像形成装置（自装置）であり、他の画像形成装置（１Ｘ〜１Ｚ）とネットワークＮを介して接続している。
画像形成装置１は、例えば、複数の表示部を備え、当該複数の表示部の何れかに画像形成装置の動作状態情報、操作ボタン等を表示する。
動作状態情報としては、例えば、画像形成装置１におけるコピー処理の進行状況、ファクシミ送受信の進行状況、紙詰まり等が発生した場合の警告情報がある。
【００１６】
また、画像形成装置１は、自装置の動作状態情報を、自装置とネットワーク接続している他の画像形成装置（１Ｘ〜１Ｚ）に送信し、また、自装置とネットワーク接続している他の画像形成装置（１Ｘ〜１Ｚ）が送信した動作状態情報を受信する。さらに、前記動作情報の送信と共に、各画像形成装置は、当該装置の名称、設置場所に係る情報も送信する。
【００１７】
ここで、画像形成装置１が、例えば、ファックス送信用のスキャン処理、又は、大量コピーを実行していると想定する。
このような場合、画像形成装置１は、ユーザからの所定の指示操作を受け付けると、当該装置１とネットワーク接続している他の画像形成装置（１Ｘ〜１Ｚ）の動作状態情報を前記複数の表示部の何れかに表示する。
【００１８】
このようにすることで、ユーザは、他の画像形成装置の動作状態情報（使用状況／設置場所）を速やかに知ることができ、利便性が向上する。
【００１９】
図２は、本発明に係る画像形成装置１の概要を示す全体断面図であり、画像形成装置１は、所定の記録用紙に対して単色及び多色の画像を形成する。
【００２０】
１０は、ガラス等透光性の部材から構成され、原稿の読取面を押圧する原稿載置台である。
１１は、原稿載置台１０を覆うための原稿カバー部である。原稿カバー部１１は、矢印Ｍ方向に回動自在に構成される。
【００２１】
原稿カバー部１１には、原稿載置台１０上に自動で原稿を搬送するための自動原稿搬送装置１２が設けられている。
【００２２】
２０は、画像形成装置１の下部に設けられたレーザ光露光装置である。ＬＤ（図示しない）が出射したレーザ光（符号Ｌ）により、帯電された感光体ドラム２１（イエロー（Ｙ）用感光体ドラム２１ｙ、マゼンタ（Ｍ）用感光体ドラム２１ｍ、シアン（Ｃ）用感光体ドラム２１ｃ、ブラック（Ｋ）用感光体ドラム２１ｋ）を走査して、原稿画像データに応じた静電潜像が感光体ドラム２１上に形成される。
【００２３】
２２は、感光体ドラム２１の表面を所定の電位に均一に帯電させるための帯電器である。
【００２４】
２３は、各感光体ドラム２１上に形成された静電潜像をＹ、Ｍ、Ｃ、Ｋの４色のトナー（図示しない）により顕像化する現像器である。
【００２５】
２４は、現像及び画像転写後における感光体ドラム２１の表面に残留したトナーを除去、回収するクリーナユニットである。
【００２６】
感光体ドラム２１、帯電器２２、現像器２３、クリーナユニット２４は、各色に応じて、それぞれ４個ずつ設けられている。
【００２７】
２５は、中間転写ベルトユニットで、中間転写ベルト２５ａ、中間転写ベルト駆動ローラ２５ｂ、中間転写ベルト従動ローラ２５ｃ、中間転写ローラ２５ｄ、及び、中間転写ベルトクリーニングユニット２５ｅから構成される。
【００２８】
中間転写ベルト２５ａは、感光体ドラム２１に接触するように設けられ、中間転写ベルト駆動ローラ２５ｂ、中間転写ベルト従動ローラ２５ｃ、及び、中間転写ローラ２５ｄにより張架されて回転駆動される。
また、中間転写ベルト２５ａ上に、感光体ドラム２１に形成された各色のトナー像が順次的に重ねて転写されることによって、カラーのトナー像（多色トナー像）が形成される。
【００２９】
中間転写ベルト駆動ローラ２５ｂは、中間転写ベルト２５ａを駆動するためのローラである。
【００３０】
中間転写ベルト従動ローラ２５ｃは、中間転写ベルト２５ａを、後述の中間転写ベルトクリーニングユニット２５ｅのクリーニングブレード（図示しない）に接触させるため、中間転写ベルト２５ａを裏側から支持するためのローラである。
【００３１】
中間転写ローラ２５ｄには、高電圧の転写バイアス（トナーの帯電極性（−）とは逆極性（＋）の高電圧）が印加されており、印加された転写バイアスにより、感光体ドラム２１のトナー像が中間転写ベルト２５ａに転写される。
なお、中間転写ローラ２５ｄは、ＹＭＣＫ各色に対応して４本設けられている。
【００３２】
前述したように、各感光体ドラム２１上で各色相に応じて顕像化された静電像は、中間転写ベルト２５ａで積層される。
このようにして積層された画像情報は、中間転写ベルト２５ａ、及び、記録用紙と中間転写ベルト２５ａの接触位置に配置される転写ローラ２６によって記録用紙上に転写される。
【００３３】
転写ローラ２６によって記録用紙上に転写されず、中間転写ベルト２５ａ上に残存したままのトナーは、次工程でトナーの混色を発生させる原因となるため、中間転写ベルトクリーニングユニット２５ｅにより、除去、回収される。
【００３４】
２７ａは、記録用紙を蓄積しておくための給紙カセットである。なお、画像形成装置１の外側に設けられた手差し給紙カセット２７ｂにも記録用紙を置くことができる。
【００３５】
２８は、印刷済みの記録用紙をフェイスダウンで集積するための排紙トレイである。
【００３６】
また、画像形成装置１には、符号Ｓ（２点鎖線）で示すように、給紙カセット２７ａ及び手差し給紙カセット２７ｂから供給される記録用紙を転写ローラ２６や定着ユニット３３を経由させて排紙トレイ２８に送るための略垂直形状の用紙搬送路が設けられている。
【００３７】
用紙搬送路Ｓの近傍には、転写ローラ２６、ピックアップローラ３０ａ，３０ｂ、複数の搬送ローラ３１ａ〜３１ｄ、レジストローラ３２、定着ユニット３３等が配設されている。
【００３８】
ピックアップローラ３０ａは、給紙カセット２７ａの端部近傍に備えられ、給紙カセット２７ａから記録用紙を１枚ずつピックアップして用紙搬送路Ｓに供給する。
同様に、ピックアップローラ３０ｂは、手差し給紙カセット２７ｂの端部近傍に備えられ、手差し給紙カセット２７ｂから記録用紙を１枚ずつピックアップして用紙搬送路Ｓに供給する。
【００３９】
搬送ローラ３１ａ〜３１ｄは、記録用紙の搬送を促進、補助するための小型のローラであり、用紙搬送路Ｓに沿って複数設けられている。
【００４０】
レジストローラ３２は、用紙搬送路Ｓを搬送されている記録用紙を一旦保持し、中間転写ベルト２５ａ上に積層されたトナー像の先端と記録用紙の先端を合わせるタイミングで、記録用紙を転写ローラ２６に搬送する機能を有している。
【００４１】
定着ユニット３３は、記録用紙を挟んで回転するように配設されたヒートローラ３３ａ、加圧ローラ３３ｂ、及び、ヒートローラ３３ａを外部から加熱するための外部加熱ベルト３３ｃ等から構成される。
【００４２】
ヒートローラ３３ａは、加圧ローラ３３ｂとともにトナーを記録用紙に熱圧着することにより、記録用紙に転写された多色トナー像を溶融、混合、圧接し、記録用紙に対して熱定着させる機能を有している。なお、熱圧着するために必要な熱は、外部加熱ベルト３３ｃを介して供給される。
【００４３】
なお、画像形成装置１をＭＦＰとして構成することもできる。このようにすれば、ファクシミリ処理、電子データのファイリング処理なども可能になる。
【００４４】
図３は、本発明に係る画像形成装置１の機能ブロック図、図４は、画像形成装置１の表示部、操作部の外観図である。
１０１は、ネットワークＩ／Ｆで、ネットワークＮに対するインターフェイス機能を提供し、当該ネットワークＮに接続している画像形成装置（１Ｘ〜１Ｚ）とデータ送受信を実行する。
【００４５】
１０２ａ／１０２ｂは、画像形成装置１の動作状態情報などを表示する第１の表示部（表示パネル）／第２の表示部（表示パネル）である。また、当該表示パネル上にタッチパネルが設けられ、表示パネルに表示されたボタンを介して画像形成装置１を操作することができる。
１０３は、テンキー、コピー開始キー等から構成される操作部で、他の画像形成装置の動作状態情報の表示を指示する指示操作部１０３ａを有する。
【００４６】
１０４は、画像形成部で、感光体ドラム２１、現像器２３、中間転写ベルトユニット２５等から構成される。
１０５は、ファクシミリデータの送受信部である。
【００４７】
１０６は、各種制御情報、画像形成装置の名称、設置場所、機種名などの情報を記憶するメモリ、１０７は、ＰＣが送信した電子データ等を記録するためのＨＤＤである。
【００４８】
１０８は、各機能ブロックを制御する制御部で、中央処理装置（ＣＰＵ、Central Processing Unit）を備えるマイクロコンピュータ、マイクロプロセッサなどによって構成される制御回路である。
【００４９】
１１１は、アドレス情報記録部で、画像形成装置１とネットワーク接続している他の画像形成装置（１Ｘ〜１Ｚ）のネットワーク上のアドレス情報（ＩＰアドレス）を、例えば、テーブル形式で記録する。
【００５０】
図５は、アドレス情報を記録するアドレス情報記録テーブル５１を示した図で、５１ａは、画像形成装置１とネットワーク接続している他の画像形成装置の識別名を記録する識別名欄、５１ｂは、当該他の画像形成装置のＩＰアドレスを記録するアドレス欄である。
画像形成装置１の管理者などは、操作部１０３等を介し、前記各欄に各種データを記録する。
【００５１】
図３の１１２ａは、画像形成装置１の現時点における動作状態情報を記録する動作状態情報記録部（自装置）である。
動作状態情報の例としては、電源オフ状態、スタンバイ状態、ジョブ例えばコピー処理／スキャン処理／ファクシミリ送受信処理／電子データファイリング処理の進行状況、実行中のジョブの数／予約されているジョブの数、パスワードの変更設定などの管理者操作モード等がある。
【００５２】
電源が投入されたり、コピー枚数カウンタが増加する等の動作状態の変化が、制御部１０８によって検知されると、動作状態情報記録部（自装置）１１２ａは、検知された動作状態に係る情報（動作状態情報）を記録する。
【００５３】
１１２ｂは、受信した他の画像形成装置（１Ｘ〜１Ｚ）の動作状態情報を記録する動作状態記録部（他装置）である。
【００５４】
１１３は、動作状態情報送信制御部（動作状態情報送信部）で、動作状態情報記録部（自装置）１１２ａに記録されている自装置の動作状態情報を、ネットワークＮを介して他の画像形成装置（１Ｘ〜１Ｚ）に送信する処理を制御する。
【００５５】
１１４は、動作状態情報受信制御部（動作状態情報受信部）で、他の画像形成装置（１Ｘ〜１Ｚ）によってネットワークＮを介して送信された動作状態情報を受信し、動作状態情報記録部（他装置）１１２ｂに記録する処理を制御する。
【００５６】
１１５は、画像表示制御部（状態情報表示制御部）で、ユーザ設定画面や、指示操作部１０３ａが操作されると、動作状態情報記録部（他装置）１１２ｂに記録された、他の画像形成装置（１Ｘ〜１Ｚ）の動作状態情報を第１の表示パネル１０２ａ、第２の表示パネル１０２ｂの何れかに表示する処理を制御する。
【００５７】
なお、他の画像形成装置（１Ｘ〜１Ｚ）も画像形成装置１と同一の機能ブロックを備えている。
【００５８】
以下に、他の画像形成装置の動作状態情報を表示する処理について詳細に説明する。
まず、ユーザＸが画像形成装置１の操作部１０３のキーを操作すると、画像表示制御部１１５は、第１の表示パネル１０２ａにユーザ設定画面、例えば図６（Ａ）に示すコピーモード設定画面６１、又は、図６（Ｂ）に示すファックス／スキャナモード設定画面６２を表示する。なお、上記の設定画面用の画像データは、ＨＤＤ１０７に記録されている。
【００５９】
また、ユーザＸがマシン管理者で、日付・時刻設定／詳細設定を行う場合には、詳細設定画面の表示を画像形成装置１に指示すると、図６（Ｃ）に示す管理者用のマシン詳細設定画面６３が、第１の表示パネル１０２ａに表示される。
【００６０】
ユーザＸが、例えば、ファクシミリ送信を実行しようとして、図６（Ｂ）に示すファックス／スキャナモード設定画面６２の宛先アドレス帳ボタン６２ａを操作すると、画像表示制御部１１５は、図７（Ａ）に示す宛先アドレス選択画面６４を第１の表示パネル１０２ａに表示する。その後、ユーザＸが、前記画面６４を介し宛先アドレスを選択し、自動原稿搬送装置１２にセットされた送信用原稿のスキャンを指示すると、画像形成装置１は、スキャン及び送信処理を実行する。
【００６１】
ここで、他のユーザＹが画像形成装置１を使用してコピーしようとする。しかし、画像形成装置１はスキャン処理を実行しているので、画像形成装置１を使用してコピーすることはできない。
【００６２】
そこで、ユーザＹは、画像形成装置１に他の画像形成装置（１Ｘ〜１Ｚ）の動作状態情報（使用状況）を表示するように、指示操作部１０３を介して指示する。指示操作部１０３は、様々な手段によって構成することができる。例えば、専用ハードウェアキーを設けてもよいし、第２の表示パネル１０２ｂに表示される画面上にソフトウェアキーを表示してもよい。この場合、前記キーを操作すれば、前記指示が実行される。
また、画像形成装置１がコピー処理などのジョブを実行中に、第２の表示パネル１０２ｂがタッチされた場合に、前記指示が行われたとみなしてもよい。
【００６３】
上記の指示操作を検知した画像形成装置１の制御部１０８は、アドレス情報記録部１１１に記録されているアドレス情報記録テーブル５１を参照し、他の画像形成装置（１Ｘ〜１Ｚ）に対して、当該他の画像形成装置の動作状態情報を送信するように要求するリクエスト信号を送信する。なお、他の画像形成装置（１Ｘ〜１Ｚ）にも同様にアドレス情報記録テーブル５１が記録されている。
【００６４】
前記リクエスト信号を受信した他の画像形成装置（１Ｘ〜１Ｚ）の動作状態情報送信制御部１１３は、動作状態情報記録部（自装置）１１２ａに記録されている動作状態情報を画像形成装置１に返信（送信）する。なお、動作状態情報に引き続き、画像形成装置の名称、設置場所、機種名などの情報も送信してもよいし、当該情報を動作状態情報に含ませて送信してもよい。
【００６５】
リクエスト信号を受信しなくても、制御部１０８が動作状態の変化を検知したら、動作状態情報送信制御部１１３は、検知された動作状態に係る情報（動作状態情報）を、定期的に、ネットワーク接続している他の画像形成装置に送信（ブロードキャスト）してもよい。このようにすることで、動作状態が変化しても、当該変化した動作状態をリアルタイムに確認することができる。
【００６６】
次に、画像形成装置１の動作状態情報受信制御部１１４は、他の画像形成装置が送信した動作状態情報を受信する。そして、他の画像形成装置毎に、前記受信した動作状態情報を、動作状態情報記録部（他装置）１１２ｂに記録する。
【００６７】
すると、画像表示制御部（状態情報表示制御部）１１５は、動作状態記録部（他装置）１１２ｂに記録された他の画像形成装置、例えば、他の画像形成装置１Ｘに係る動作状態情報に基づき、動作状態情報表示用画面を生成し、第２の表示パネル１０２ｂに表示する。
【００６８】
図７（Ｂ）は、第２の表示パネル１０２ｂに表示された他の画像形成装置１Ｘの動作状態表示画面６５の一例であり、当該画面６５には、他の画像形成装置１Ｘの動作状態６５ａや、マシン名及び機種名６５ｂが表示されている。
ユーザＹは、前記動作状態表示画面６５を見れば、空いている画像形成装置を容易に確認することができ、利便性が向上する。
【００６９】
次に、図８のフロー図を用いて他の画像形成装置の動作状態情報を表示する処理を説明する。なお、前述のように、画像形成装置１は、ユーザＸによって使用されている状態であるとする。
【００７０】
ユーザＹが、第２の表示パネル１０２ｂをタッチして、他の画像形成装置（１Ｘ〜１Ｚ）の動作状態情報を表示するように画像形成装置１に指示する（ステップＳ１）。
【００７１】
前記指示を受けた画像形成装置１の制御部１０８は、他の画像形成装置に当該装置の動作状態情報を送信するように要求するリクエスト信号を送信する（ステップＳ２）。
前記リクエスト信号を受信した他の画像形成装置（１Ｘ〜１Ｚ）の動作状態情報送信制御部１１３は、動作状態情報記録部（自装置）１１２ａに記録されている動作状態情報を画像形成装置１に送信する（ステップＳ３）。
すると、画像形成装置１の動作状態情報受信制御部１１４は、他の画像形成装置からの動作状態情報を受信し、動作状態情報記録部（他装置）１１２ｂに記録する（ステップＳ４）。
【００７２】
画像形成装置１の画像表示制御部（状態情報表示制御部）１１５は、動作状態記録部（他装置）１１２ｂに記録された他の画像形成装置から受信した動作状態情報に基づき、動作状態情報表示用画面を生成し、第２の表示パネル１０２ｂに表示する（ステップＳ５）。
【００７３】
（その他）
前述の実施例では、図７（Ｂ）の動作状態表示画面６５に、他の画像形成装置の動作状態情報として１台分の動作状態情報を表示したが、画像表示制御部（状態情報表示制御部）１１５は、複数の他の画像形成装置の動作状態情報を同時に表示することもできる。
【００７４】
前記複数の他の画像形成装置の動作状態情報を同時に表示する場合、当該状態情報の表示順序は、当該他の画像形成装置において実行中のジョブの数／予約されているジョブの数が少ない順に表示するようにしてもよい。
例えば、画像形成装置１Ｘの予約ジョブの数が１、画像形成装置１Ｙの予約ジョブの数が２、画像形成装置１Ｚの予約ジョブの数が３の場合には、画像形成装置１Ｘ、Ｙ、Ｚの順に、当該画像形成装置の動作状態情報を表示する。
【００７５】
このようにすることで、ユーザの利便性が向上する。なお、動作状態表示画面６５のボタンを介して、当該動作状態表示画面に係る画像形成装置を遠隔操作することもできる。
【００７６】
自装置が待機状態の場合、第２の表示パネル１０２ｂに対する操作が所定時間以上ないと、画像表示制御部（状態情報表示制御部）１１５は、第２の表示パネル１０２ｂの電源をオフにして他の画像形成装置の動作状態情報の表示処理の実行を中止してもよい。このようにすることで、省電が可能になる。なお、前記所定時間は、変更可能である。
【００７７】
実施例では、２つの表示部（表示パネル）を設けた画像形成装置について説明したが、１つの表示部であってもよい。この場合、表示画面に対して第１の視野角方向及び第２の視野角方向に位置するユーザに対し夫々の画像を同時に表示するデュアルビュー表示機能を表示部に設け、画像表示制御部（状態情報表示制御部）１１５は、前記第１の視野角方向又は第２の視野角方向に位置するユーザに対して、受信した他の画像形成装置の動作状態情報（動作状態表示画面）を表示する。
【００７８】
他にも、画面領域を複数の表示領域に分割し、当該表示領域にそれぞれ画像を表示する画面分割表示機能を前記表示部に設け、前記制御部１１５は、前記分割された表示領域に、受信した他の画像形成装置の動作状態情報を表示する。
【００７９】
また、前述の例では、図７（Ａ）に示すアドレス選択画面６３を第１の表示パネル１０２ａに表示したが、ユーザＸの操作性を向上させるため、第２の表示パネル１０２ｂに表示することがある。また、画像形成装置１の動作状態（使用状況）を確認するため、自装置の動作状態を図９に示すように第２の表示パネル１０２ｂに表示することもある。
【００８０】
このような場合、前述のように、ユーザＹは、第２の表示パネル１０２ｂをタッチして、他の画像形成装置（１Ｘ〜１Ｚ）の動作状態を表示するように指示することはできない。
【００８１】
そこで、前述のように、動作状態表示用の専用ハードウェアキーを操作部１０３に設けてもよいし、第１の表示パネル１０２ａに表示される表示画面に動作状態表示用のボタンを設けてもよい。
【図面の簡単な説明】
【００８２】
【図１】本発明の概要を説明するための図である。
【図２】本発明に係る画像形成装置の概要を説明するための全体断面図である。
【図３】本発明に係る画像形成装置の機能ブロック図である。
【図４】画像形成装置の表示部、操作部の外観図である。
【図５】アドレス情報記録テーブルの一例を示した図である。
【図６】表示パネルに表示される各種画面を示した図である。
【図７】表示パネルに表示される各種画面を示した図である。
【図８】他の画像形成装置の動作状態情報を表示する処理を説明するためのフロー図である。
【図９】表示パネルに表示される各種画面を示した図である。
【符号の説明】
【００８３】
１…画像形成装置（自装置）、１Ｘ〜１Ｚ…他の画像形成装置、１０…原稿載置台、１１…原稿カバー部、１２…自動原稿搬送装置、２０…露光ユニット、２１…感光体ドラム、２１ｙ，２１ｍ，２１ｃ，２１ｋ…Ｙ用，Ｍ用，Ｃ用，Ｋ用感光体ドラム、２２…帯電器、２３…現像器、２４…クリーナユニット、２５…中間転写ベルトユニット、２５ａ…中間転写ベルト、２５ｂ…中間転写ベルト駆動ローラ、２５ｃ…中間転写ベルト従動ローラ、２５ｄ…中間転写ローラ、２５ｅ…中間転写ベルトクリーニングユニット、２６…転写ローラ、２７ａ，２７ｂ…給紙カセット、２８…排紙トレイ、３０ａ，３０ｂ…ピックアップローラ、３１ａ〜３１ｄ…搬送ローラ、３２…レジストローラ、３３…定着ユニット、３３ａ…ヒートローラ、３３ｂ…加圧ローラ、３３ｃ…外部加熱ベルト、１０１…ネットワークＩ／Ｆ、１０２ａ…第１の表示パネル、１０２ｂ…第２の表示パネル、１０３…操作部、１０３ａ…指示操作部、１０４…画像形成部、１０５…ファクシミ送受信部、１０６…メモリ、１０７…ＨＤＤ、１０８…制御部、１１１…アドレス情報記録部、１１２ａ…動作状態情報記録部（自装置）、１１２ｂ…動作状態情報記録部（他装置）、１１３…動作状態情報送信制御部、１１４…動作状態情報受信制御部、１１５…画像表示制御部（状態情報表示制御部）、５１…アドレス情報記録テーブル、６１…コピーモード設定画面、６２…スキャナモード設定画面、６３…マシン詳細設定画面、６４…アドレス選択画面、６５…動作状態表示画面。
【図１】
2010103832.tif 000003
【図２】
2010103832.tif 000004
【図３】
2010103832.tif 000005
【図４】
2010103832.tif 000006
【図５】
2010103832.tif 000007
【図６】
2010103832.tif 000008
【図７】
2010103832.tif 000009
【図８】
2010103832.tif 000010
【図９】
2010103832.tif 000011